(57)【要約】【課題】本発明は給水や給湯用に用いられる合成樹脂製継手に関するものであり、継手が螺着中に切断してしまった際にも螺脱可能な継手に係るものである。【解決手段】合成樹脂製継手本体と、これを貫通する流路と、この貫通流路の両端に螺合用ねじを備え、かつ継手本体外表面に回動係合部を備えてなる継手であって、前記貫通流路に回転治具が嵌合可能な係止部が形成されたことを特徴とする合成樹脂製継手。Ａ‥継手、１‥継手本体、２‥キャップ、３‥継手本体に形成した流路、３ｂ‥流路内の段部、３ｃ‥流路内の係止部、【選択図】図４
2004245373.tif 000002
【特許請求の範囲】
【請求項１】
合成樹脂製継手本体と、これを貫通する流路と、この貫通流路の両端に螺合用ねじを備え、かつ継手本体外表面に回動係合部を備えてなる継手であって、前記貫通流路に回転治具が嵌合可能な係止部が形成されたことを特徴とする合成樹脂製継手。
【請求項２】
係止部が正面視で正六角形である請求項１記載の合成樹脂製継手。
【請求項３】
係止部が正面視で１８０度の角度をもって窪みをなす請求項１記載の合成樹脂製継手。
【請求項４】
係止部が正面視で９０度の角度をもって窪みをなす請求項１記載の合成樹脂製継手。
【請求項５】
貫通流路の一方端に、パイプ保持機構を備えた請求項１乃至４記載の合成樹脂製継手。
【発明の詳細な説明】
【０００１】
【発明の属する技術分野】
本発明は給水や給湯用に用いられる合成樹脂製継手に関するものであり、継手が螺着中に切断してしまった際にも螺脱可能な継手に係るものである。
【０００２】
【従来の技術】
近年、集合住宅は元より、戸建て住宅における給水・給湯用配管にあって、合成樹脂製のパイプが広く使用されるようになってきたが、同時に配管継手も合成樹脂製のものが採用されるようになっている。好んで用いられている合成樹脂としては、ポリブテン樹脂があり、比較的肉薄のパイプとすることにより柔軟性を備えたものとなり、一方、肉厚の場合には剛性が高く、継手に採用されるものである。
【０００３】
図１はかかる継手の一例であるワンプッシュ型継手を示す側面図、図２は正面図、図３は断面図を示すものである。１はポリブテン製の継手本体であり、２は合成樹脂製のキャップである。そして、継手本体１はこれを貫通して流路３が形成されており、一方にキャップ２と螺合する外ねじ４が形成され、他方には図示しない例えばヘッダ−の分岐口と螺合する外ねじ５が形成されている。そして、キャップ２を螺合する側にＯ−リング６、パイプ保持リング７が内蔵され、差し込まれるパイプ（図示せず）の表面にパイプ保持リング７の爪が食い込んでパイプが保持されるパイプ保持機構を備えている。８は継手本体１の外表面に形成された回動係合部であり、スパナ等によってこの部位を挟みつつ継手本体１を例えばヘッダ−分岐口と螺合することになる。
【０００４】
さて、継手本体１が例えば金属製のものであれば全く問題はないが、これが前記したポリブテンのような合成樹脂製の場合には継手本体１の強度よりもスパナ等による回転力が勝ってしまうケ−スがあり、継手本体１がねじ切れてしまうことが発生する。このため、切断して残ってしまった部分をヘッダ−分岐口より螺脱しなくてはならなくなるが、ヘッダ−分岐口内に強く螺合された状態で切断してしまっているため、これを螺脱するのは容易なことではない。
【０００５】
一方、継手本体１の切断を恐れるあまり、スパナの回転力を少なめにすると、継手本体１が十分に螺合していない状態で使用に供されることになり、漏水の発生の大きな原因ともなってしまう。
【０００６】
【発明が解決しようとする課題】
本発明は、合成樹脂製の継手が過剰な締め付けにより切断してしまった場合でも、螺合口内より容易にこれを螺脱することを可能とした継手を提供するものである。
【０００７】
【課題を解決するための手段】
本発明の要旨は、合成樹脂製継手本体と、これを貫通する流路と、この貫通流路の両端に螺合用ねじを備え、かつ継手本体外表面に回動係合部を備えてなる継手であって、前記貫通流路に回転治具が嵌合可能な係止部が形成されたことを特徴とする合成樹脂製継手に係るものである。
【０００８】
回転治具としては、通常用いられている回転治具がそのまま用いられるのが望ましく、かかる係止部の例としては、正面視で正六角形であれば六角レンチが使用可能であり、係止部が正面視で１８０度の角度をもって窪みをなす場合にはマイナスドライバ−が使用され、正面視で９０度の角度をもって窪みをなす場合にはプラスドライバ−がそのまま用いられるものである。
【０００９】
【発明の実施の形態】
本発明は以上の通りであって、継手の流路に回転治具が嵌合可能な係止部を備えたものである。このため、継手が相手方との螺着中に切断が起こり、ねじ部に継手の一部が残ってしまったとしても、継手には流路に備えられた係止部が存在するため、この係止部に回転治具を嵌め合わせてこれを回転することにより、螺着したままで切断してしまった継手の部分が容易に螺脱できることとなったものである。
【００１０】
一般に回転治具は六角レンチ、マイナスドライバ−、プラスドライバ−等であり、流路の正面にこれが嵌合するに十分な形状を形成しておくものである。従って、回転治具として他の形状のものを用いようとするのであれば、それに応じて予め流路に係止部を形成しておくことになる。
【００１１】
尚、継手の例としては単にパイプを連結するための継手、或いはいわゆるワンプッシュ型継手である場合でもよく、後者の場合には、貫通流路の一方端にＯ−リング、パイプ保持リング等のパイプ保持機構を備えた構造となる。
【００１２】
継手を構成する合成樹脂としては、ポリブテン、ナイロン、塩ビ、ポリエチレンその他いわゆるエンプラと称される各種合成樹脂が用いられる。
【００１３】
【実施例】
以下、本発明の継手を図面をもって更に詳細に説明する。図４は本発明のワンプッシュ型継手の第１例（Ａ）を示す正面図である。尚、側面図、断面図は前記した図１とほぼ同じでありここでは省略する。又、符号１〜８は図１〜図３に説明したものと同一であり説明を省略するが、更に詳しく述べれば、継手本体１には図７に示すように流路３に二つの段部３ａ、３ｂが形成され、段部３ａ内にＯ−リング６、パイプ保持リング７が内蔵され、深部側の段部３ｂは差し込まれるパイプの先端が当接されて差し込みが完全であることを示す部位である。
【００１４】
さて、本発明の継手Ａの特徴点は段部３ｂよりも深い位置にある流路３を六角形状３ｃとしたことにある。従って、図示しない例えばヘッダ−の分岐口に対して過剰な力でねじ込まれてしまった場合に、継手本体１はヘッダ−の分岐口の雌ねじ内に継手本体１の外ねじ４を螺着したままの状態で切断されてしまうことがあるが、この場合に、ヘッダ−側に残った継手本体１にはその流路３が六角形状３ｃとされていることから、かかる六角形状３ｃ内に既存の六角レンチを嵌め込んで回転することにより切断部が容易に螺脱できることとなったものである。
【００１５】
図５は本発明のワンプッシュ型継手の第２例（Ｂ）を示す正面図であり、図６は本発明の同様の継手の第３例（Ｃ）を示す正面図である。即ち、図５における例は流路３に１８０度の相対する位置に係合部３ｄを形成したものであり、図６の例は流路３に９０度の相対位置に係合部３ｅを形成したものである。従って、図５の場合には先端がマイナスのドライバ−をもって、更には、図６の場合には先端がプラスのドライバ−をもって回転することにより切断部位が容易に螺脱できることになる。
【００１６】
尚、図７は本発明のワンプッシュ型継手にあって、パイプ保持機構の別例を示す図３と同様の断面図であり、段部３ａ内にＯ−リング６、パイプ保持リングとしてのカラ−９が内蔵されており、その外表面を傾斜面９ａとしたものである。一方、キャップ２の内表面はこのカラ−９の傾斜面９ａと対向する傾斜面２ａとされていて、差し込まれるパイプ２０が抜け出そうとする際に、両傾斜面２ａ、９ａが接触し、カラ−９は内包に向かい力が加えられてパイプ２０の抜けを防止する構造となっている。符号２０ａはパイプ保形用内筒である。
【００１７】
図８はパイプ２０を取り付ける機器１０を示し、かかる機器１０にはパイプ２０に繋がる流路１１が形成され、流路１１の端部に継手Ｄと螺合するための雌ねじ１２が施されている。図９は本発明の継手第４例（Ｄ）を示す一部切断側面図であり、図１０はその正面図である。継手Ｄには貫通する流路３が形成されると共に、外表面の中央にスパナ等との回動係合部８が形成され、その一方側に前記した雌ねじ１２と螺合する雄ねじ４１が刻設され、他方側にはパイプ２０内に挿入される突起部４２が形成されている。そして、少なくとも機器１０内に螺合される側の流路３に回動治具が嵌め込まれる係止部（ここでは六角形状）３ｆを形成したもので、この部位が万一機器１０内に残ってしまったとしても六角レンチをこの係止部３ｆに嵌め込んでこれを回動することにより容易に螺脱できることになったものである。尚、この例では係止部３ｆを流路３の全体に形成した例であるが、いずれにしろ、本発明の継手にあっては、機器１０内に残ってしまう側の流路３にこの係止部を形成しておくものである。尚、図中の符号４３はパイプ２０内に突起部４２を嵌め込み、これを固定するための緊蹄バンドである。
【００１８】
【発明の効果】
本発明は以上のような構成をもつものであり、合成樹脂製の継手が過剰のねじり力により切断現象が起こってしまっても、相手方のねじ部から容易にこれを螺脱できることのなったものであり、その工業的価値は極めて高い。
【図面の簡単な説明】
【図１】図１は従来のワンプッシュ型継手を示す側面図である。
【図２】図２は図１の正面図である。
【図３】図３は図１の断面図である。
【図４】図４は本発明のワンプッシュ型継手の第１例を示す正面図である。
【図５】図５は本発明のワンプッシュ型継手の第２例を示す正面図である。
【図６】図６は本発明のワンプッシュ型継手の第３例を示す正面図である。
【図７】図７はワンプッシュ型継手のパイプ保持機構の別例を示す断面図である。
【図８】図８はパイプを取り付ける機器を示す。
【図９】図９は本発明の継手第４例を示す一部切断側面図である。
【図１０】図１０は図９の正面図である。
【符号の説明】
Ａ、Ｂ、Ｃ、Ｄ‥継手、
１‥継手本体、
２‥キャップ、
２ａ‥キャップの傾斜面、
３‥継手本体に形成した流路、
３ａ、３ｂ‥流路内の段部、
３ｃ、３ｄ、３ｅ、３ｆ‥流路内の係止部、
４、５‥外ねじ、
６‥Ｏ−リング、
７‥パイプ保持リング、
８‥回動係合部、
９‥カラ−、
９ａ‥カラ−の傾斜面、
１０‥機器、
１１‥機器の流路、
１２‥雌ねじ、
２０‥パイプ、
２０ａ‥パイプ保形用内筒、
４１‥雄ねじ、
４２‥突起部、
４３‥緊蹄バンド。
【図１】
2004245373.tif 000003
【図２】
2004245373.tif 000004
【図３】
2004245373.tif 000005
【図４】
2004245373.tif 000006
【図５】
2004245373.tif 000007
【図６】
2004245373.tif 000008
【図７】
2004245373.tif 000009
【図８】
2004245373.tif 000010
【図９】
2004245373.tif 000011
【図１０】
2004245373.tif 000012